(57)【要約】【課題】泡立ち性、泡持ち性に優れ、十分な洗浄効果が得られるとともに、適度な押圧感によるマッサージ効果を備え、肌触りも良好で、黒皮症の心配が無く、しかも取扱い性に優れた浴用タオルを提供する。【解決手段】天然繊維および／または再生繊維を少なくとも一部に含む布帛の少なくとも一部に設けられた袋部に、充填材が移動可能な状態で封入されていることを特徴とする浴用タオルである。【選択図】　　　図６
2004065581.tif 000002
【特許請求の範囲】
【請求項１】
天然繊維および／または再生繊維を少なくとも一部に含む布帛の少なくとも一部に設けられた袋部に、充填材が移動可能な状態で封入されていることを特徴とする浴用タオル。
【請求項２】
前記袋部が縫製により仕切られた複数の隔室部を有し、該隔室部の少なくとも１つに充填材が封入されていることを特徴とする請求項１記載の浴用タオル。
【請求項３】
前記充填材の最大長が１〜１００ｍｍであることを特徴とする請求項１または２記載の浴用タオル。
【請求項４】
前記充填材の形状が開口部を有する球状および／または円筒状であることを特徴とする請求項１〜３いずれか一項記載の浴用タオル。
【請求項５】
前記布帛にセリシンが定着されていることを特徴とする請求項１〜４いずれか一項記載の浴用タオル。
【発明の詳細な説明】
【０００１】
【発明の属する技術分野】
本発明は浴用タオルに関し、さらに詳しくは洗浄効果、マッサージ効果を兼ね備えた浴用タオルに関する。
【０００２】
【従来の技術】
入浴時の身体洗浄用具としては、タオル、スポンジ、ブラシなどが知られており、中でもタオル、特に綿タオルは一般に浴布とも呼ばれ、古くから我々の日常生活に極めて関係の深いものである。スポンジやブラシなどと比較し、手の届きにくい背部の洗浄が容易で、また、洗浄する箇所に合わせて自由に変形できることから、身体洗浄用具として広く普及し、天然繊維からなるもの、合成繊維からなるもの、あるいは両者を組み合わせたものなど、多くの提案がなされている。しかしながら、綿など天然繊維からなるタオルは、柔軟性に優れ肌触りが良好である反面、泡立ち性や泡持ち性が悪く、十分な洗浄効果が得られないという問題がある。ナイロンなど合成繊維からなるタオルは、泡立ち性や泡持ち性、洗浄性は良好である反面、硬く、ざらざらした肌触りで、長期間にわたって使用すると、刺激により肌が黒色化する、いわゆる黒皮症の発生が問題となっている。また、これらのタオルは、一般にマッサージ効果が無く、新陳代謝を活発化させるためマッサージを行うには、専用の器具を用いて身体の洗浄とは別々に行う必要があり、時間や手間の掛かるものであった。
【０００３】
洗浄効果とマッサージ効果を同時に得ることを目的に、様々な工夫をこらしたタオルも知られている。例えば、タオルの表裏面の少なくとも一方にブラシ毛を植毛したもの（特開昭５４−２４４８２号公報）、三層構造の編物地にして、表面に弾力性を有する多数のうねを形成させたもの（特開平５−４９５５２号公報）、天然繊維からなる布地の片面に、表面の粗い合成繊維からなる布地を縫い付けたもの（実開平６−１７５９４号公報）、化学繊維からなる不織布の中央部に球状を配置し、さらに不織布を重ねて球状一つ一つのまわりを縫着あるいは接合したもの、もしくは不織布の中に球状を組み込んだもの（実開平６−３８７７９号公報）、天然繊維、化学繊維などからなる洗浄布に球状や四角錘状のマッサージ体を固定突出したもの（実開平６−３８９７６号公報）、タオルの両面に大中小の突起を連設、点設したもの（特開平７−１４８０８６号公報）、化学繊維で織られたタオル状の素地を細長状に折り畳み、中央位置に適宜大きさの海綿状物質を包み込んだもの（実用新案第３０４２９９１号公報）、化学繊維よりなる布地体に伸縮性を有する糸を縫いつけ、しわ寄せ模様を形成させたもの（実用新案第３０７４８０２号公報）、タオル本体に透水性を有するポケットを設け、たわしや、球などを収納できようにしたもの（実用新案第３０７８６４４号公報）、などが提案されている。
【０００４】
しかしながらこれらのタオルは、泡立ち性、泡持ち性、洗浄性、肌触り、取扱い性などの点において実用するには十分でなく、多少のマッサージ効果を示すにとどまり、満足のいく成果を挙げるには至っていない。
【０００５】
【発明が解決しようとする課題】
本発明は、このような現状に鑑みて行われたものであり、その目的とするところは、泡立ち性、泡持ち性に優れ、十分な洗浄効果が得られるとともに、適度な押圧によるマッサージ効果を備え、肌触りも良好で、黒皮症の心配が無く、しかも取扱い性に優れた浴用タオルを提供することである。
【０００６】
【課題を解決するための手段】
本発明者は、上記課題を解決すべく鋭意研究を重ねた結果、天然繊維および／または再生繊維を含む布帛の少なくとも一部に袋部を設け、該袋部に充填材を移動可能な状態で封入することにより、天然繊維や再生繊維の特長である肌触りの良さを活かしつつ、泡立ち性、泡持ち性を大幅に改善し、洗浄およびマッサージに好適で、取り扱いやすい浴用タオルを得ることができることを見出し、本発明を完成するに至った。
【０００７】
すなわち本発明は第１に、天然繊維および／または再生繊維を少なくとも一部に含む布帛の少なくとも一部に設けられた袋部に、充填材が移動可能な状態で封入されていることを特徴とする浴用タオルである。
第２に、前記袋部が縫製により仕切られた複数の隔室部を有し、該隔室部の少なくとも１つに充填材が封入されていることを特徴とする浴用タオルである。
第３に、前記充填材の最大長が１〜１００ｍｍであることを特徴とする浴用タオルである。
第４に、前記充填材の形状が開口部を有する球状および／または円筒状であることを特徴とする浴用タオルである。
第５に、前記布帛にセリシンが定着されていることを特徴とする浴用タオルである。
【０００８】
【発明の実施の形態】
以下、本発明を詳細に説明する。
本発明の浴用タオルは、少なくとも一部に袋部が設けられた布帛と、充填材、縫糸とより構成される。
浴用タオルの形状は特に限定されず、卵形であっても細長状であっても構わないが、実用性や製造効率を考慮すると、平面形状が略四角形であるものが好ましい。その大きさは、平面形状が略四角形の浴用タオルの場合、１辺が１０〜２００ｃｍ、既存の製品としてはハンドタオルからバスタオル程度の大きさであることができる。１辺が１０ｃｍ未満であると、洗浄面積が小さく身体を洗浄するのが困難であり、また、２００ｃｍを超えると、使用に際し水を吸収して重くなり、取り扱いにくくなる。より好ましくは、短辺が１０〜２５ｃｍ、長辺が７０〜１１０ｃｍの略長方形である。
【０００９】
本発明に用いられる布帛は、天然繊維および／または再生繊維を少なくとも一部に含んでなるものである。天然繊維としては、木綿、麻などのセルロース系天然繊維、羊毛、絹などの蛋白質系天然繊維を挙げることができ、再生繊維としては、レーヨン、キュプラなどのセルロース系再生繊維、カゼイン繊維などの蛋白質系再生繊維を挙げることができる。これらが単独であっても、組み合わされていてもよい。天然繊維や再生繊維を用いることにより柔らかな肌触りとなって、黒皮症の発生を回避することができる。また、天然繊維および再生繊維以外の繊維を組み合わせることもでき、例えば、セルロース系（ジアセテート、トリアセテートなど）、蛋白質系（プロミックスなど）などの半合成繊維、ポリアミド系（ナイロン６、ナイロン６６など）、ポリエステル系（ポリエチレンテレフタレート、ポリブチレンテレフタレートなど）、ポリオレフィン系（ポリエチレン、ポリプロピレンなど）、ポリアクリロニトリル系、ポリビニルアルコール系、ポリウレタン系、ポリ塩化ビニル系などの合成繊維、などを挙げることができる。これらを組み合わせて用いることによって、天然繊維や再生繊維にない性能を付与することができる。例えば、伸度の大きなナイロンを組み合わせることにより、引裂強度に優れた浴用タオルを得ることができる。組み合わせる方法は特に限定されるものでなく、混紡や混繊など糸条段階から組み合わせる方法、交編や交織など布帛段階から組み合わせる方法を挙げることができる。布帛を構成する糸条は紡績糸であることが好ましく、これにより柔軟性に優れ、肌触りの良好な浴用タオルを得ることができる。天然繊維と再生繊維を合わせた混用率は３０〜１００％であることが好ましく、より好ましくは６０〜１００％である。混用率が３０％未満であると、肌触りが損なわれる。
【００１０】
布帛の形態は、身体を洗浄およびマッサージできる構造物であれば編物、織物、不織布のいずれであってもよく特に限定されない。組織も特に限定されるものでなく、例えば、編組織としては、平編、パイル編等のよこ編、よこ糸挿入たて編、ダブルデンビー編等のたて編などが挙げられ、織組織としては、平織、朱子織等の一重組織、よこ二重織、たて二重織等の重ね組織、よこパイル組織、たてパイル組織等のパイル組織などが挙げられ、不織布としては、スパンボンドタイプ、ニードルパンチタイプ、ケミカルボンドタイプなどが挙げられる。このように、本明細書において「タオル」とは、いわゆる「タオル織物（ループを片面又は両面に織りだした構造を有する）」に限定されるものではない。これら布帛のなかでも、伸縮性、柔軟性、軽量性に優れるという理由により、各種編物が好ましい。
【００１１】
繊維には、セリシンが付与されていることが好ましく、これにより、肌触りのより一層の改善を図ることができる。セリシンは繭または生糸に存在する天然蛋白質で、表面改質剤として繊維に適用する試みが多数報告されている。このセリシンを繊維に付与することにより皮膚刺激性が低減され、肌触りがより良好なものとなる。さらに、長期間繰り返して使用した後も、肌触りの良い状態を維持することができる。一方、セリシンが付与されていないものは、天然繊維および／または再生繊維を少なくとも一部に含むことにより初期風合いは柔らかく良好な肌触りを示すが、繰り返し使用することにより次第に硬化し、肌触りが損なわれるのである。
【００１２】
本発明においてセリシンは、加水分解されていないセリシンはもちろん、加水分解されたセリシンをも包含することができる。本発明に用いられるセリシンは、繭または生糸から一般的に行われる抽出方法で得ることができる。具体的には例えば、繭または生糸を、水、好ましくは８０〜１００℃程度の熱水内で処理することにより、繭または生糸に含まれるセリシンを水中に溶出させる。このとき必要に応じて、電気分解した水や、酸、アルカリ、酵素を併用してセリシンを部分加水分解させても良い。次いで、ろ過、遠心分離などにより固形物を除去し、さらに分離精製を行って、セリシン水溶液を得る。これをそのまま、あるいは適当な濃度に調整して使用しても良いし、凍結乾燥、噴霧乾燥などにより乾燥してから使用しても良い。また、水溶液またはパウダーとして市販されるセリシンを使用することもできる。セリシンの分子量は通常、５００〜５０００００の範囲内にあり、そのいずれも使用可能であるが、好ましくは平均分子量５０００〜１０００００のセリシンであり、より好ましくは１００００〜５００００である。平均分子量が５０００未満のセリシンを使用できないわけではないが、このようなセリシンを工業的に製造しようとすると、分離精製に特殊な装置を必要とし、コストがかかり不経済である。平均分子量が１０００００を超えると、水溶性が低下し作業性が悪くなる。
【００１３】
セリシンの付与量は、繊維に対して０．０１〜１０重量％であることが好ましく、より好ましくは、０．０５〜３重量％であり、さらに好ましくは０．２５〜１．５重量％である。付与量が０．０１重量％未満では、セリシンによる肌触りの改善効果が不十分である。１０重量％を超えても、改善効果に差がなく、不経済である。
【００１４】
付与方法としては、通常、セリシンを溶媒、好ましくは水に溶解させて液状とし、パディング、浸漬、スプレー、プリント、コーティングなど一般公知の方法により付与することができる。なかでもパディングは、セリシンを繊維に均一に付与することができ好ましい。
【００１５】
セリシンは、それのみを繊維に付与することもできるが、定着耐久性を高め、長期間にわたり効果を持続させるため、水不溶化処理して存在させることが好ましい。かかる処理としては架橋処理および／または水不溶性マトリックス樹脂処理を挙げることができる。
【００１６】
架橋処理は、セリシンが持つアミノ基、カルボキシル基、水酸基などの官能基と反応性のある２価以上の多価化合物を用い、セリシンを架橋不溶化するものである。このような多価化合物としては、ホルマリン、グルタルアルデヒド等のアルデヒド類、ポリエチレングリコールジグリシジルエーテル、グリセリンジ（またはトリ）グリシジルエーテル、トリメチロールプロパンジ（またはトリ）グリシジルエーテル、ソルビトールポリグリシジルエーテル、ポリグリセリンポリグリシジルエーテル等のエポキシ系化合物、重亜硫酸ナトリウムやフェノール等のブロック化剤でブロックされたイソシアネート基を両末端に持つウレタンプレポリマー等のウレタン系化合物などを好ましく用いることができる。
【００１７】
水不溶性マトリックス樹脂処理は、水不溶性または水難溶性マトリックス樹脂中にセリシンを包括させるものであり、このようなマトリックス樹脂としては、アクリル系、エポキシ系、ウレタン系、エステル系等の公知の造膜性樹脂を好ましく用いることができる。
【００１８】
これらのうち、エポキシ系やウレタン系など、架橋機能と造膜マトリックス機能を併せ持つものが、セリシンの定着耐久性および取扱いやすさの両面から特に好ましく用いられる。
【００１９】
架橋剤および／またはマトリックス樹脂は、通常、セリシンに対し１０〜１０００重量％の割合で用いる。架橋剤および／またはマトリックス樹脂の使用割合がセリシンに対し１０重量％未満であると、セリシンの水不溶化が不十分で、定着耐久性が得られない。１０００重量％を超えると、風合いが硬化して、浴用タオルとしての使用に耐えなくなる。
【００２０】
架橋剤および／またはマトリックス樹脂は、通常、セリシン溶液にあらかじめ共存させておき、上述の方法にて、セリシンと同時に繊維に付与する。付与後、８０〜１８０℃で熱処理し、セリシンを水不溶化する。加熱温度が８０℃未満であると反応に長時間を要し生産性が低下するばかりか、架橋剤および／またはマトリックス樹脂の種類によっては反応が進まず、耐久性が得られない場合がある。加熱温度が１８０℃を超えると、繊維物性低下や風合い硬化、変色などを来す場合がある。
【００２１】
セリシンを付与する際の繊維形態は、布帛に限定されず、原綿、トウ、糸などの形態であってもよく、セリシンを付与した後に布帛化すればよい。さらに、袋部を形成後に付与することもできる。
かくして、肌触りが良く、定着耐久性に優れたセリシン定着繊維を得ることができる。
【００２２】
上記構成を有する布帛の少なくとも一部に袋部を設け、その内部に特定長の充填材を封入する。袋部の形状は特に限定されるものでなく、平面形状として略円形、略多角形（略三角形、略四角形、略五角形など）など多様な形状とすることができ、これらが組み合わされていても構わないが、縫製時の作業性を考慮すると、略三角形や略四角形が好ましい。袋部は一枚の布帛を折り畳んで（図１（　Ｉ）参照）、あるいは二枚の布帛を重ねるなどして（図１（　ＩＩ　）参照）、縫製により形成したものであっても、袋織り、筒編みなどの技法により製織、製編段階から袋部としたものであっても良い。さらに三重以上の多重構造とし、袋部が重なり合ったものであっても良い（図１（　ＩＩＩ　）参照）。本発明の浴用タオルは、図１（　Ｉ　）（　ＩＩＩ　）に示すように浴用タオル全体が袋部をなすものであっても、図１（　ＩＩ　）に示すように浴用タオルの一部が袋部をなすものであっても構わない。袋部の大きさは特に限定されるものでなく、浴用タオルの大きさや泡立ち性、泡持ち性、充填材封入によるマッサージ効果などを考慮し適宜決定すればよい。浴用タオルに対する袋部の割合が小さいと、洗浄剤を含ませ身体を洗浄およびマッサージする際、洗浄剤の攪拌が効果的に行われず、泡立ち性や泡持ち性が低下する。また、適量の充填材を封入することができず、十分なマッサージ効果が得られない。袋部１個当たりの大きさは、扁平状態にある浴用タオルの面積に対し、好ましくは０．２〜１００％であり、袋部を総合した大きさは、浴用タオルの面積に対し、好ましくは１０〜１００％である。袋部の個数は、浴用タオルの大きさや袋部の大きさ、泡立ち性、泡持ち性、取扱い性、マッサージ効果などを考慮し、適宜決定すればよい。
【００２３】
縫製は通常の本縫いミシンを用いて行うことができるが、外縁部の縫製にはオーバーロックミシンを用いると、布帛の裁断と同時に、裁断面を縁取りすることができ好ましい。こうすることで、裁断面からの毛羽立ちを防ぎ、見た目にもきれいに仕上げることができる。
【００２４】
袋部は、縫製により複数の領域に仕切られていても良く、このような構成とすることにより、充填材の移動領域が制限され、袋部を仕切らない場合に発生する恐れのある充填材の過度の偏りを防止することができ、好ましい。縫製は本縫いミシンを用いて行うことができる。なお、本明細書では、縫製により仕切られた領域を「隔室部」と呼ぶこととする。形成される隔室部の全てに充填材を封入する必要はなく、例えば背部の洗浄およびマッサージに適した位置、好ましくは浴用タオルの中央部付近に形成される隔室部の少なくとも１つに充填材が封入されていればよい。以下、充填材が封入される隔室部を「充填隔室部」、充填材が封入されない隔室部を「未充填隔室部」と呼ぶこととする。
【００２５】
充填隔室部の形状は、特に限定されるものでなく、平面形状として略円形、略多角形（略三角形、略四角形、略五角形など）など多様な形状とすることができ、これらが組み合わされていても構わないが、縫製時の作業性を考慮すると、略三角形（図２（　Ｉ　）（　ＩＩ　）参照）や略四角形（図２（　ＩＩＩ　）（　ＩＶ　）参照）が好ましい。なお、図２は浴用タオル全体が袋部をなす場合の隔室部の形状を示す模式図である。充填隔室部１個当たりの大きさは特に限定されるものでなく、袋部の大きさや取扱い性などを考慮し適宜決定すればよい。充填隔室部１個当たりの大きさは、扁平状態にある袋部の面積に対し、好ましくは０．２〜９０％である。例えば、浴用タオル全体が袋部をなし、短辺が１３ｃｍ、長辺が１００ｃｍの略長方形を呈する浴用タオルにおける充填隔室部１個当たりの大きさは、袋部、すなわち浴用タオルの面積に対し５〜５０％が適当で、該浴用タオルに略四角形の充填隔室部を形成する場合の充填隔室部１個当たりの大きさは、典型的には、一辺が浴用タオルの短辺と同じ１３ｃｍ、もう一辺が長辺方向に５〜５０ｃｍである。充填隔室部の個数は、袋部の大きさ、充填隔室部の大きさ、取扱い性、マッサージ効果などを考慮し、適宜決定すればよい。一般には、袋部が大きいほど、充填隔室部１個当たりの大きさ（袋部に対する面積比）を小さくし、充填隔室部の個数を多くすると良い。
【００２６】
本発明に用いられる縫糸は、特に限定されるものではなく、市販の縫糸を適宜選択して用いればよい。例えば、絹、綿、麻、ナイロン、ポリエステル等からなる、３０〜１００番手、５〜２０ｔｅｘのものを用いることができる。
【００２７】
本発明に用いられる充填材の形状は特に限定されるものでなく、洗浄時に肌を押圧してマッサージ効果を発揮するものであれば、いかなるものであっても構わない。球状、円柱状、円錐状、多角柱状、多角錐状（図３参照）など任意の形状であることができる。これらは中空体であっても中実体であってもよく、また開口部を有するもの（図４参照）であっても構わない。なかでも、肌当たりの点から、球状あるいは円柱状のものが好ましく、泡立ち性や泡持ち性の点から、開口部を有するものが好ましい。充填材が開口部を有していると、これを封入した浴用タオルに洗浄剤を含ませ身体を洗浄およびマッサージする際、開口部が潰れたりもとの形状に戻ったりすることにより、洗浄剤が攪拌され、良好な泡立ち状態を長時間維持することができる。開口部を有する球状ビーズや、円筒状パイプが特に好ましく用いられる。
【００２８】
充填材の材質も特に限定されるものではなく、耐久性、比重、弾力性などを考慮し、適宜選択使用すればよい。具体的には、ポリエチレン、ポリプロピレン、ポリスチレンなどを用いることができる。
【００２９】
本発明に用いられる充填材の大きさは特に限定されるものでなく、袋部への封入が可能であればいかなる大きさであっても構わないが、好ましくは最大長が１〜１００ｍｍであり、より好ましくは最大長が２〜３０ｍｍであり、さらに好ましくは３〜１５ｍｍである。最大長が１ｍｍ未満であると、十分なマッサージ効果が得られず、また、泡立ち性も悪くなる。１００ｍｍを超えると袋部（充填隔室部を含む）内での自由度が低下し、泡立ち性が悪くなる。また、タオルを折り畳んで使用する際、かさ高となり取り扱いにくくなる。
【００３０】
上記構成を有する充填材を、袋部（充填隔室部を含む）に移動可能な状態で封入する。充填率が高く、袋部内で充填材が移動できない状態であると、洗浄剤の攪拌が行われず、泡立ち性、泡持ち性が悪くなる。また、クッション性がなくなることで、肌に硬く当たり、適度なマッサージ効果が期待できなくなる。さらに浴用タオルを自由に折り畳むことができず、取り扱いにくくなる。一方、充填率が低すぎても、洗浄剤を効率よく攪拌することができず、泡立ち性、泡持ち性が悪くなる。また、所望するマッサージ効果が得られない。
【００３１】
好ましい充填率としては、１０〜９０％である。充填率は袋部（充填隔室部を含む）の基準容積と、実際に封入した充填材の体積とによって算出される充填材の容積百分率で表されるものである。例えば、短辺がＡ（ｃｍ）、長辺がＢ（ｃｍ）（Ｂ≧Ａ）の略長方形を呈する袋部の場合（図５（　Ｉ　）参照）、底面積が｛（Ａ／２）×（Ｂ−Ａ／２）｝（ｃｍ２）、高さがＡ／２（ｃｍ）である直方体（図５（　ＩＩ　）参照）を想定し、この体積を基準容積とする。
また、袋部内に風船を入れ、エアリーク試験機を用いて一定の圧力（５ｋＰａ）に上昇するまでの積算流量を測定し、それにより求めた体積を基準容積としても良い。
測定方法により充填率の数値は若干異なるが、大凡１０〜９０％の範囲内であれば、充填材の移動は確保でき、実用上、問題となることはない。
【００３２】
封入する充填材の数は、袋部（充填隔室部を含む）や充填材の大きさ、充填率を考慮し、適宜決定すれば良く、通常、袋部１個当たり２〜１００００個であることができる。
【００３３】
【実施例】
以下、本発明を実施例によりさらに詳細に説明するが、本発明はかかる実施例に何ら限定されるものではない。
【００３４】
［実施例１］
図６は、本実施例に係る浴用タオルの製造工程を示す正面図である。
綿１００％よりなる編物（よこ糸挿入たて編み、目付２００ｇ／ｍ２）を１３ｃｍ×１００ｃｍの大きさに裁断したものを二枚重ね、図６（　Ｉ　）に示す外縁部７、８、９をオーバーロックミシンを用いて縫製し、外縁部１０が開口状態にある袋部を作製した。次いで、本縫いミシンを用いて図６（　ＩＩ　）に示す２（５箇所）を縫製することにより、１３ｃｍ×３０ｃｍの大きさの隔室部５（未充填隔室部となる）を２個、１３ｃｍ×１０ｃｍの大きさの隔室部４（充填隔室部となる）を４個作製した。しかる後に、直径６ｍｍ、長さ１０ｍｍ、最大長１１．６ｍｍのポリエチレン製パイプを隔室部４に充填し、外縁部１０をオーバーロックミシンを用いて縫製することによりパイプを封じ込め、本発明の浴用タオルを得た（図６（　ＩＩＩ　））。封入するパイプの数は充填隔室部１個あたり２６０個（６ｇ）、充填率は３０％（６０ｍｌ）であった。また、縫製には、本縫いミシン用に綿糸（６０番手）、オーバーロックミシン用に綿糸（６０番手）とナイロン加工糸（１２．２ｔｅｘ）を用いた。
【００３５】
［実施例２］
セリシン定着編物を用いた以外は、実施例１と同様の方法で本発明の浴用タオルを得た。
セリシンを付与するにあたっては、通常のパディング法を採用した。すなわち、下記組成の処理液を実施例１の綿１００％編物にマングルパッドし（絞り率１００％）、１６０℃で１分３０秒加熱処理した。本実施例におけるセリシンの付与量は繊維に対し０．５重量％であった。
セリシン（セーレン株式会社製、平均分子量３００００）　　　　５　重量％
ポリエチレングリコールジグリシジルエーテル　　　　　　　　　５　重量％
ジエチレントリアミン（触媒）　　　　　　　　　　　　　　　　０．２　重量％
水　　　　　　　　　　　　　　　　　　　　　　　　　　　　　残
【００３６】
［比較例１］
実施例１の綿１００％編物を１３ｃｍ×１００ｃｍの大きさに裁断し、外縁部をオーバーロックミシンを用いて縫製することにより、浴用タオルを得た。
【００３７】
［比較例２］
ナイロン１００％よりなる織物（平織り、目付９１．９ｇ／ｍ２）を１３ｃｍ×１００ｃｍの大きさに裁断し、外縁部をオーバーロックミシンを用いて縫製することにより、浴用タオルを得た。
【００３８】
［試験例１］泡立ち性
女性パネラー１０名により、実施例１、２、および比較例１、２の浴用タオルを用いて身体を洗浄およびマッサージしたときの泡立ち性を評価した。
評価は、比較例２のナイロンタオルを基準に（一律０点とする）、次の５段階で点数化した。結果を表１に示す。
−２点：悪い
−１点：やや悪い
０点：普通
１点：やや良い
２点：良い
【００３９】
【表１】
2004065581.tif 000003
本発明の浴用タオルは、ナイロンタオルよりも優れた評価が得られ、泡立ち性を満足できるものであった。
【００４０】
［試験例２］泡持ち性
女性パネラー１０名により、実施例１、２、および比較例１、２の浴用タオルを用いて身体を洗浄およびマッサージしたときの泡持ち性を評価した。
評価は、比較例２のナイロンタオルを基準に（一律０点とする）、次の５段階で点数化した。結果を表２に示す。
−２点：悪い
−１点：やや悪い
０点：普通
１点：やや良い
２点：良い
【００４１】
【表２】
2004065581.tif 000004
本発明の浴用タオルは、ナイロンタオルよりも優れた評価が得られ、泡持ち性を満足できるものであった。
【００４２】
［試験例３］皮膚刺激性
女性パネラー１０名により、実施例１、２、および比較例１、２の浴用タオルを用いて身体を洗浄およびマッサージしたときの皮膚刺激性を評価した。
評価は、次の２段階で点数化した。結果を表３に示す。
−１点：刺激を感じた
０点：何も感じない
【００４３】
【表３】
2004065581.tif 000005
本発明の浴用タオルは皮膚刺激性のないことが確認された。
【００４４】
［試験例４］マッサージ効果
女性パネラー１０名により、実施例１、２、および比較例１、２の浴用タオルを用いて身体を洗浄およびマッサージしたときのマッサージ効果を評価した。
評価は、次の２段階で点数化した。結果を表４に示す。
０点：何も感じない
１点：マッサージ効果を感じた
【００４５】
【表４】
2004065581.tif 000006
本発明の浴用タオルはマッサージ効果があることが確認された。
【００４６】
［試験例５］肌触り
女性パネラー２０名により、実施例１、２、および比較例１、２の浴用タオルを用いて身体を洗浄およびマッサージしたときの肌触りを評価した。
評価は、次の３段階で点数化した。結果を表５に示す。
−１点：肌触りが悪い
０点：普通
１点：肌触りが良い
【００４７】
【表５】
2004065581.tif 000007
本発明の浴用タオルは肌触りが良いことが確認された。
【００４８】
［試験例６］肌触り
女性パネラー１０名ずつにより、実施例１、２の浴用タオルを用いて身体を洗浄およびマッサージすることを１月間継続して行い、初期および１ヶ月使用後の肌触りを評価した。
評価は、次の３段階で点数化した。結果を表６（実施例１）、表７（実施例２）に示す。
−１点：肌触りが悪い
０点：普通
１点：肌触りが良い
【００４９】
【表６】（実施例１）
2004065581.tif 000008
【００５０】
【表７】（実施例２）
2004065581.tif 000009
セリシンを付与した本発明の浴用タオルは長期使用においても、肌触りの良い状態を維持できることが確認された。
【００５１】
【発明の効果】
本発明の浴用タオルは、天然繊維および／または再生繊維を含む布帛より構成されるため、肌触りが良く、黒皮症の心配がない。また、布帛の少なくとも一部に袋部を設け、その内部に充填材を移動可能な状態で封入したため、適度な押圧によるマッサージ効果が得られるとともに、洗浄剤が攪拌されることにより泡立ち性、泡持ち性が向上し、十分な洗浄効果を得ることができる。本発明の浴用タオルは、浴用タオルとして望まれる諸機能を網羅的に備え、実用性に極めて優れたものである。
【図面の簡単な説明】
【図１】袋部の形成を模式的に示す斜視図である。（　Ｉ　）一枚の布帛を折り畳んだ状態。（　ＩＩ　）二枚の布帛を重ねた状態。（　ＩＩＩ　）三重構造とし、袋部が重なり合った状態。
【図２】隔室部の形状を模式的に示す正面図である。（　Ｉ　）（　ＩＩ　）充填隔室部の平面形状が略三角形。（　ＩＩＩ　）（　ＩＶ　）充填隔室部の平面形状が略四角形。
【図３】充填材の形状を模式的に示す斜視図である。（　Ｉ　）球状。（　ＩＩ　）円柱状。（　ＩＩＩ　）円錐状。（　ＩＶ　）多角柱状。（　Ｖ　）多角錘状。
【図４】充填材の形状を模式的に示す斜視図である。（　Ｉ　）開口部を有する球状。（　ＩＩ　）開口部を有する円筒状。
【図５】基準容積を説明するための図面である。（　Ｉ　）平面形状が略長方形の袋部を模式的に示す正面図である。（　ＩＩ　）基準容積を有する直方体を模式的に示す斜視図である。
【図６】実施例１の浴用タオルの製造を模式的に示す正面図である。（　Ｉ　）二枚の布帛を重ね、外縁部三方を縫製した状態。（　ＩＩ　）縫製により隔室部を作製した状態。（　ＩＩＩ　）ポリエチレン製パイプを封入した状態。
【符号の説明】
１　布帛
２　縫製部
３　袋部
４　充填隔室部
５　未充填隔室部
６　開口部
７，８，９，１０　外縁部
１１　ポリエチレン製パイプ
【図１】
2004065581.tif 000010
【図２】
2004065581.tif 000011
【図３】
2004065581.tif 000012
【図４】
2004065581.tif 000013
【図５】
2004065581.tif 000014
【図６】
2004065581.tif 000015